(57)【特許請求の範囲】
【請求項１】
殺虫剤用の容器体(２)の首部から起立するステム(１０)に操作釦を兼ねるヘッド部材(２２)を付設し、ヘッド部材(２２)の操作によりヘッド部材(２２)が有する吐出口(３６)から内容物を吐出するように形成した装置本体(Ｄ)と、
上記装置本体(Ｄ)の適所に開口する開口部(４４)を有する筐体(４０)を設け、その開口部(４４)を開閉可能な蓋部(６０)を備える捕虫手段(Ｔ)と、
で構成される捕虫手段付きの殺虫装置において、
上記吐出口(３６)の内部と連通するノズル(Ｎ)を設け、
上記筐体(４０)を形成する壁板(４２)に窓部(４７)を形成するとともに、上記ノズル(Ｎ)に方向切替手段(Ｅ)を設けて、このノズルが内容物を外方へ噴出することと、筐体(４０)内へ噴入することとを選択できるようにしたことを特徴とする捕虫手段付きの殺虫装置。
【請求項２】
上記蓋部(６０)は、上記開口部(４４)の開口方向と直交する向きから、開口部(４４)の口縁に対してスライドして開口部(４４)を開閉可能に形成したスライド蓋であることを特徴とする、請求項１記載の捕虫手段付きの殺虫装置。
【請求項３】
縦長に形成した容器体(２)の側面に沿って、容器体(２)の側外方へ開口部(４４)を向けるように上記筐体(４０)を配置したことを特徴とする、請求項１又は請求項２に記載の捕虫手段付きの殺虫装置。
【請求項４】
縦長に形成した容器体(２)の上側又は下側に、開口部(４４)の開口方向が垂直方向に向くように、上記筐体(４０)を配置したことを特徴とする、請求項１又は請求項２に記載の捕虫手段付きの殺虫装置。
【請求項５】
上記筐体(４０)の筒壁から筐体(４０)内部へ突出する邪魔板(４９)を、上記窓部(４７)と向かい合う位置に設けたことを特徴とする、請求項１から請求項４のいずれかに記載の捕虫手段付きの殺虫装置。
【発明の詳細な説明】
【技術分野】
【０００１】
本発明は、捕虫手段付きの殺虫装置に関する。
【背景技術】
【０００２】
殺虫剤を収納したエアゾール容器として押釦兼用のヘッドから長いノズルを突出するものが知られている（特許文献１）。
【先行技術文献】
【特許文献】
【０００３】
【特許文献１】特開２００３−２９２００２
【発明の概要】
【発明が解決しようとする課題】
【０００４】
特許文献１のエアゾール容器では、長いノズルを害虫の入る方向に向けて殺虫剤を吹きかけるようにして用いる。害虫と言っても中にはゴキブリのように比較的大きな虫もあり、そうしたものは首尾よく殺虫剤が効いて動かなくなっても、当該害虫の始末が必要である。
【０００５】
仮にティッシュペーパーなどを害虫と指との間に挟んで指で摘まんで捨てるとすれば、ティッシュペーパーを探す手間を要するなどの不都合がある。また、殺虫剤の作用で動かないと言っても一時的なことで、ティッシュペーパーなどを探している間に当該害虫が物陰などに逃げてしまう場合もある。
【０００６】
本発明の目的は、殺虫剤の吹き掛け、捕虫、廃棄などの作業を効率的に行うことができる捕虫手段付き殺虫装置を提供することである。
【課題を解決するための手段】
【０００７】
第１の手段は、殺虫剤用の容器体２の首部から起立するステム１０に操作釦を兼ねるヘッド部材２２を付設し、ヘッド部材２２の操作によりヘッド部材２２が有する吐出口３６から内容物を吐出するように形成した装置本体Ｄと、
上記装置本体Ｄの適所に開口する開口部４４を有する筐体４０を設け、その開口部４４を開閉可能な蓋部６０を備える捕虫手段Ｔと、
で構成される捕虫手段付きの殺虫装置において、
上記吐出口３６の内部と連通するノズルＮを設け、
上記筐体４０を形成する壁板４２に窓部４７を形成するとともに、上記ノズルＮに方向切替手段Ｅを設けて、このノズルが内容物を外方へ噴出することと、筐体４０内へ噴入することとを選択できるようにした。
【０００８】
本手段では、図１・図７に示すように、殺虫装置の装置本体Ｄに捕虫手段Ｔを設けることを提案している。捕虫手段Ｔは、筐体４０と蓋部６０とで構成されている。殺虫装置に捕虫手段Ｔが備わっているので、直ちに害虫の捕捉を行うことができる利点がある。蓋部６０は、筐体４０内に虫を閉じ込めることができればどのようなものでもよく、図示のスライド蓋の他、例えば開口部４４の口縁にヒンジを介して連結した開閉蓋であってもよい。
また本手段では、図１・図７に示すように筐体４０を形成する壁板の一部に窓部４７を開口し、この窓部４７内を経由してノズルＮから殺虫剤を噴入することができるようにしている。これにより筐体４０内に捕捉した虫類を確実に処理することができる。ノズルＮには方向切替手段Ｅを設ける。
【０００９】
本明細書において、「虫」、「害虫」、或いは「虫類」というときには、殺虫剤などの薬品を利用した駆除の対象となる小動物を指す。容器体に付設した筐体に閉じ込めて廃棄できる程度の大きさのものであれば本発明を適用できる。
「筐体」とは、捕捉対象の生き物を閉じ込めることができる箱状のものであれば足り、完全な密閉容器である必要はない。
【００１０】
第２の手段は、第１の手段を有し、かつ
上記蓋部６０は、上記開口部４４の開口方向と直交する向きから、開口部４４の口縁に対してスライドして開口部４４を開閉可能に形成したスライド蓋である。
【００１１】
本手段では、例えば図１に示すように、蓋部６０を開口部４４の口縁に対してスライドして開口部４４を開閉自在に形成したスライド蓋とすることを提案している。そうすると、図６（Ｃ）に示すように開口部４４を床面につけた状態のままスライド蓋で開口部４４を閉鎖することができる。すなわち、虫類の捕捉状態を解除せずに開口部４４を閉じることができるので、確実に虫類の廃棄を行うことができる。
【００１２】
第３の手段は、第１の手段又は第２の手段を有し、かつ
縦長に形成した容器体２の側面に沿って、容器体２の側外方へ開口部４４を向けるように上記筐体４０を配置した。
【００１３】
本手段では、図１に示すように容器体２の側面に筐体４０を配置することを提案している。この構成であると、容器体を横倒しにした状態で筐体４０の開口部４４を床面につけることができ、相対的に装置全体の重心が低くなるので安定性がよい。従って、例えば図６（Ａ）に示す如く、動きの鈍くなった虫類を筐体４０内に閉じ込めた段階で、殺虫装置が他物（操作者の身体など）との接触により転動し、捕捉状態が解けるという不都合が生じにくい。
【００１４】
第４の手段は、第１の手段又は第２の手段を有し、かつ
縦長に形成した容器体２の上側又は下側に、開口部４４の開口方向が垂直方向に向くように、上記筐体４０を配置した。
【００１５】
本手段では、縦長に形成した容器体２のステム１０の上側又は下側に筐体４０を配置することを提案している。図７に示す例では、筐体４０を容器体２の上側に設けているが、容器体の底部側に袴状の部材として取り付けても構わない。もっとも、容器体の上側に設けると、図示のようにヘッド部材２２と筐体４０とを連続成形することができ、部材数を少なくできるというメリットがある。
【００１８】
第５の手段は、第１の手段から第４の手段のいずれかを有し、かつ
上記筐体４０の筒壁から筐体４０内部へ突出する邪魔板４９を、上記窓部４７と向かい合う位置に設けた。
【００１９】
本手段では、図７に示すように邪魔板４９を窓部４７と向かい合う位置に配置することを提案している。これにより窓部４７を介して噴入するエアゾールの流れが邪魔板４９に当たって筐体４０内に適当に拡散するようにすることができる。
【発明の効果】
【００２０】
第１の手段に係る発明によれば、殺虫装置の装置本体Ｄに捕虫手段Ｔを設けたから、殺虫剤で弱った（或いは死んだ）害虫を容易に捕捉して廃棄することが容易である。
また第１の手段に係る発明によれば、筐体内に殺虫剤を噴入することができるので、筐体４０内に捕捉した害虫をさらに弱らせることができるので、便利である。
第２の手段に係る発明によれば、上記蓋部６０をスライド蓋としたから、蓋部６０を外して筐体４０内に害虫を捕捉した後に蓋部６０を閉位置へスライドさせることで当該害虫を筐体に閉じ込めることが容易であり、廃棄し易い。
第３の手段に係る発明によれば、縦長に形成した容器体２の側面に沿って容器体２の側外方へ開口部４４を向けるように筐体４０を配置したから、その開口部４４を床面に接地させたときに、装置全体の重心が相対的に低くなり、捕捉した害虫の処理（殺虫剤の吹き付けや廃棄など）を安心して行うことができる。
第４の手段に係る発明によれば、縦長の容器体２の上側又は下側に筐体４０を配置したから、容器体２の側方に場所を取ることがなく、商品の流通時に都合がよい。
第５の手段に係る発明によれば、上記筐体４０の壁板から筐体４０内部へ突出する邪魔板４９を、上記窓部４７と向かい合う位置に設けたから、窓部４７からの殺虫剤の流れが、邪魔板４９に当たって筐体４０内に適当に拡散されるので、効率的である。
【図面の簡単な説明】
【００２１】
【図１】本発明の第１実施形態に係る捕虫手段付きの殺虫装置の側方から見た縦断面図である。
【図２】図１の殺虫装置の正面図である。
【図３】図１の殺虫装置のＩＩＩ−ＩＩＩ方向から見た横断面図である。
【図４】図１の殺虫装置を各パーツに分解して正面方向から見た図であり、図４（Ａ）は装置本体の前面図、図４（Ｂ）は筐体及び蓋体の前面図、図４（Ｃ）は回転盤の前面図である。
【図５】図１の殺虫装置の作用説明図である。
【図６】図１の殺虫装置の他の作用説明図である。
【図７】本発明の第２実施形態に係る捕虫手段付きの殺虫装置の側方から見た縦断面図である。
【図８】図７の殺虫装置の作用説明図である。
【発明を実施するための最良の形態】
【００２２】
図１から図６は、本発明の第１実施形態に係る捕虫手段付きの殺虫装置を示している。この殺虫装置は、装置本体Ｄと捕虫手段Ｔと回転盤７０とで構成されている。本実施形態において容器体（エアゾール容器体）を除く各部材は、それぞれ合成樹脂材で形成することができる。
【００２３】
装置本体Ｄは、容器体２と、装着部材１２と、ヘッド部材２２とで構成されている。
【００２４】
上記容器体２は、本実施形態において、エアゾール容器体であり、胴部４の上部にリム６を有し、胴部４と連続する首部８の上からステム１０を起立している。本実施形態では、エアゾール容器体２は、ステム１０を傾動させることでステム１０から内容物を噴出するように構成しているが、ステム１０を下降させることで内容物を噴出するタイプのものを採用してもよい。また容器体２は、エアゾール容器体でなくても構わない。
【００２５】
上記装着部材１２は、上記リム６に下端部を係合した装着筒部１４を有する。図示例では、この装着筒部１４の左右両部から断面円弧状の起立壁部１８を延長し、起立壁部１８の上端から内方へ延びる頂壁部２０を介して垂下壁部２１を垂下している（図４（Ａ）参照）。もっともこれらの構造は適宜変更することができる。なお、本明細書においては、便宜的に、後述のノズルの開口する方向（図１の左方）を“前”、反対側を“後”と称し、前後方向と直角な向きを、“右”・“左”と称する。
【００２６】
上記ヘッド部材２２は、操作釦を兼ねており、上記ステム１０に取り付けられている。図示例においては、ヘッド部材２２は、一対の垂下壁部２１の間に位置している。また図示のヘッド部材２２は、ヘッド頂壁２４の中心部から嵌合筒部２６を、ヘッド頂壁２４の外周部から外周壁２８をそれぞれ垂下するとともに、嵌合筒部２６の上部から外周壁２８の前部へ延びる射出筒部３２を形成し、射出筒部３２内の筒孔３４と連続して外周壁２８の前部に吐出口３６を開口している。射出筒部３２の筒孔３４の前部は大径孔部３４ａに形成している。嵌合筒部２６を上記ステム１０に嵌合している。
【００２７】
本実施形態においては、装着部材１２とヘッド部材２２とは一体成形されている。すなわち、外周壁２８の前壁部の下端と装着筒部１４の前壁部の上端は、図１に示す薄肉ヒンジ３０を介して連続形成されている。そしてヘッド部材２２のヘッド頂壁２４の後部を押し下げると、薄肉ヒンジ３０を中心として、ヘッド部材２２が揺動し、ステム１０が傾いてエアゾールが吐出されるようになっている。
尚、薄肉ヒンジ３０を設けなくても、弾性変形するような肉厚（形状）にしていればよい。
【００２８】
捕虫手段Ｔは、筐体４０と蓋部６０とで形成される。
【００２９】
上記筐体４０は、片側（本実施形態では前側）を開口部４４として残して、壁板４２で画成されている。図示例では、長方形状の背板である第１壁板４２Ａの外周部から、側板である第２壁板４２Ｂを前方突出し、その前縁に開口部４４を形成している。その開口部４４の口縁の適所には適数の案内リブ４６Ａを付設しており、その口縁に沿って後述の蓋板をスライドさせることが可能に形成している。筐体の壁板４２は害虫の様子を確認できるように透明材料で形成することができる。好適な図示例において、筐体４０の開口部４４の端面は、床面などの平面に対して密接させることが可能な平坦な面となっている。
【００３０】
上記第１壁板４２Ａの上端からは、図４（Ｂ）に示すように第１壁板４２Ａよりも左右方向の幅が狭い延長壁部５０を上方へ延設している。この延長壁部５０には、逆Ｕ字形の切溝５４を穿設している。
【００３１】
この切溝５４内側の延長壁部分からは、連結筒部５２を後方突出している。筐体４０は、この連結筒部５２を射出筒部３２の大径孔部３４ａ内に嵌着させることで、装置本体Ｄ側に支持されている。切溝５４を設けたのは、ヘッド部材２２の後部を押し下げたときに、切溝５４内側の延長壁部分がヘッド部材２２及びステム１０とともに傾くことが可能に形成するためである。また上記切溝５４外側の延長壁部分は、図１に示すように、後上方への傾斜壁部としており、後述の回転盤７０との間に隙間ｇが生ずるように形成している。そうしなければ、後述のヘッド部材の押下げ操作時に回転盤７０が切溝５４外側の延長壁部分に当たって、上述の如く切溝５４内側の延長壁部分が傾くことを妨げるからである。
【００３２】
上記連結筒部５２の筒孔５２ａは、図４（Ｂ）に示す如く延長壁部５０の前方へ開口している。この開口の回りの延長壁部分には、円環状の溝を設けて、この溝にシール部材ＳであるＯリングを嵌着させている。
【００３３】
さらに切溝５４内側の延長壁部分からは、円棒状の回転軸５６を前方突出している。図示の回転軸５６は、連結筒部５２の筒孔と隣接して、筒孔と同じ高さに配置している。
【００３４】
上記筐体４０の第２壁板４２Ｂのうち連結筒部５２の下側に位置する箇所には窓部４７を開口している。図示例ではこの窓部４７を延長壁部５０側へ延ばして延長孔部４７ａとしている。
【００３５】
蓋部６０は、蓋板６２に取っ手６４を付設してなり、側方からみて略Ｌ字形に形成している。この蓋板６２を上記開口部４４の一側（図示例では）下側から開口部４４内に差し込み、開口部４４の口縁をスライドさせて、開口部４４を開閉できるように形成している。また図示はしないが、上記蓋板６２の前面には、筐体４０の案内リブ４６Ａと係合する、蓋部抜け止め用の凸状の嵌合片を設ける。嵌合片は、取っ手６４を引っ張ることで、嵌合片と案内リブ４６Ａとの係合が解除されるように形成する。なお、蓋部は、上述のスライド蓋に限るものではなく、開口部４４の口縁にヒンジなどを介して連結した開閉蓋であっても構わない。
【００３６】
回転盤７０は、図４（Ｃ）に示す如く、中心部に軸孔ｂを有し、この軸孔内に前記回転軸５６を回転自在に挿入させている。回転盤７０の一端からは、摘まみ７６を外方突出している。また回転盤７０には、第１連通孔７２及び第２連通孔７４を貫通させて流路の方向切替手段Ｅを形成している。  
【００３７】
上記第１連通孔７２は、エアゾールを連結筒部５２から外部へ導くための連通孔で、本実施形態では回転盤７０を後面から前面へ直線的に貫通している。第１連通孔７２の前端はノズルＮとして開口している。
【００３８】
上記第２連通孔７４は、エアゾールを連結筒部５２から窓部４７へ導くための連通孔で、本実施形態では回転盤７０の後面から前方へ延びる上流側孔部７４ａと、この上流側孔部の前端から回転盤７０の側面へ延びる下流側孔部７４ｂとで形成される。
【００３９】
第１連通孔７２と第２連通孔７４とは回転盤７０の周方向に離れた位置に形成され、摘まみ７６で回転盤７０を回転されることで、図２に示す如く、上記連結筒部５２を第１連通孔７２を介して回転盤７０の前方へ連通させる使用状態と、図５に示す如く、上記連結筒部５２を第２連通孔７４を介して窓部４７へ連通させる使用状態とを選択可能に形成している。２つの使用状態に対応して位置合わせ手段を例えば回転盤７０と装置本体Ｄとの間に形成してもよい。
【００４０】
上記構成において、例えば床面上に害虫を発見したときには、図１の状態からヘッド部材２２を押してノズルＮからエアゾール状の殺虫剤を吹きかければよい。害虫が動かなくなったときには、蓋部６０を外して、図６（Ａ）に示すように、筐体４０の開口部４４の口縁部を害虫の周囲の床面部分に圧接する。この場合、蓋部６０で閉鎖して害虫を廃棄すればよい。害虫が未だ生きている可能性があるときには、図６（Ｂ）に示すように、摘まみ７６を操作して、連結筒部５２を第２連通孔７４を介して窓部４７へ連通させ、ヘッド部材２２を押して、筐体４０内へ殺虫剤を散布する。次に、図６（Ｃ）に示すように開口部４４を蓋部６０で閉鎖して、筐体４０内に害虫を閉じ込め、殺虫装置ごとゴミ箱などへ移動して、再び開口部４４を開き、害虫を廃棄すればよい。
【００４１】
以下、本発明の他の実施形態を説明する。これらの説明において、第１実施形態と同じ構造については、解説を省略する。  
【００４２】
図７及び図８は、本発明の第２実施形態に係る捕虫手段付きの殺虫装置を示している。本実施形態では、筐体４０及び蓋部６０を容器体２の上方に配置したものである。
【００４３】
まず本実施形態では、第１実施形態の装着部材の構成のうち起立壁部と頂壁部と垂下壁部とを省略し、その代わりリム６の回りに固定した装着筒部１４の前後両側から前後一対の支持体１５を起立し、両支持体の内面から係合孔１６ａ付きの係合リブ１６を内方突出している。そしてヘッド部材２２の外周壁２８から垂下した係合爪２９を上記係合孔１６ａに挿通させている。
【００４４】
またヘッド部材２２の上面から、図７に示すように、左右一対の第１連結壁部３８Ａ及び第１連結壁部３８Ａ同士を連結する第２連結壁部３８Ｂを起立し、これら連結壁部を介して筐体４０を支持させている。図示例では、ヘッド部材２２の外周壁２８の前部を第１実施形態に比べて後退させて回転盤７０を配置するスペースを確保している。第２連結壁
部３８Ｂは、上記外周壁２８の前部から上方へ延びている。
【００４５】
上記一対の第２連結壁部３８Ｂの内面からは、同一直線状に一対の短い回転軸５６を突出させ、これら回転軸５６を、回転盤７０の軸孔ｂに回転自在に嵌着させている。回転盤７０からは、図７の状態で、摘まみ７６を下方へ、筒状のノズルＮを前方へ突出している。さらに回転盤７０には図７の状態で、後面から軸孔ｂ内へ延びる第１連通路７５ａと、軸孔ｂからノズルＮの先端へ開通する第２連通路７５ｂと、軸孔ｂから上方へ延びる第３連通路７５ｃとを形成している。図７の状態では、射出筒部３２は第１連通路７５ａ及び第２連通路７５ｂを通じて外部に連通しており、摘まみを操作して、図８のように回転させると、射出筒部３２は第３連通路７５ｃ及び第２連通路７５ｂを通じて筐体４０の窓部４７へ連通する。ヘッド部材２２の外周壁２８の前部及び第２連結壁部３８Ｂには、射出筒部の筒孔３４の先端部の回りを囲むシール部材Ｓを設けている。
【００４６】
なお、上記外周壁２８の前部からは回転盤７０の下面に液密に接するシール板Ｐを当接しており、図８の状態で第１連通路７５ａを液密に閉鎖するように形成している。シール板の構造は適宜変更することができ、第１連通路をシールできる手段であればどのような構造でも構わない。
【００４７】
上記筐体４０は、開口部４４を上方に向けて形成されており、図８に示すように装置本体Ｄを倒立させたときに安定性がよくなるように第２壁板４２Ｂを開口部４４側が幅広となるテーパ形状に形成している。また窓部４７は、第１壁板４２Ａの適所（図示例では回転盤７０上方の壁板部分）に形成されている。
【００４８】
また本実施形態では、第２壁板４２Ｂのうち窓部４７に近い箇所には突起部４８を設け、この突起部４８から窓部４７に向かい合うように邪魔板４９を突出している。
【００４９】
上記構成において、通常のように外部にエアゾールを噴出するときには、ヘッド部材２２の後部を押せばよい。害虫を捕捉するときには、図７の状態から蓋部６０を外し、殺虫装置を倒立させて、害虫の回りの床面に開口部４４の口縁部を圧接させる。そして摘まみ７６を操作して射出筒部３２を窓部４７に連通させ、容器体２を押下げる。そうすると殺虫剤がノズルＮから窓部４７を介して筐体４０内に入る。そして殺虫剤の噴流が邪魔板４９に衝突して、筐体４０内に適切に拡散される。その後の作業に関しては、第１実施形態で記載した事項を援用する。
【符号の説明】
【００５０】
２…容器体  ４…胴部  ６…リム  ８…首部
１０…ステム  １２…装着部材  １４…装着筒部  １５…支持体
１６…係合リブ  １６ａ…係合孔
１８…起立壁部  ２０…頂壁部  ２１…垂下壁部
２２…ヘッド部材  ２４…ヘッド頂壁  ２６…嵌合筒部  ２８…外周壁  ２９…係合爪
３０…薄肉ヒンジ  ３２…射出筒部  ３４…筒孔  ３４ａ…大径孔部  ３６…吐出口
３８Ａ…第１連結壁部  ３８Ｂ…第２連結壁部
４０…筐体  ４２…壁板  ４２Ａ…第１壁部  ４２Ｂ…第２壁部
４４…開口部  ４６Ａ…案内リブ  ４６Ｂ…案内溝  
４７…窓部  ４７ａ…延長孔部
４８…突起部  ４９…邪魔板
５０…延長壁部  ５２…連結筒部  ５２ａ…筒孔
５３…補助壁部  ５４…切溝  ５６…回転軸
６０…蓋部  ６２…蓋板  ６４…取っ手  
７０…回転盤  ７２…第１連通孔
７４…第２連通孔  ７４ａ…上流側孔部  ７４ｂ…下流側孔部
７５ａ…第１連通路  ７５ｂ…第２連通路  ７５ｃ…第３連通路  
７６…摘まみ
ｂ…軸孔    Ｄ…装置本体  Ｅ…方向切替手段  ｇ…隙間  Ｐ…シール板
Ｓ…シール手段  Ｔ…捕虫手段  Ｊ…接合部  Ｎ…ノズル
【図１】
0006422117.tif 000002
【図２】
0006422117.tif 000003
【図３】
0006422117.tif 000004
【図４】
0006422117.tif 000005
【図５】
0006422117.tif 000006
【図６】
0006422117.tif 000007
【図７】
0006422117.tif 000008
【図８】
0006422117.tif 000009